(57)【要約】【課題】手摺の取付けおよび取外しに際して、手摺を仮保持できる機構を備えた手摺用ブラケットの取付構造を提供することである。【解決手段】  壁面４に固定されるベースプレート５と、このベースプレート５上に取り付けられ手摺６を保持したブラケット７とを備えた手摺用ブラケットの取付構造であって、前記ベースプレート５は、このベースプレートの表面から突出した突起片１，２，３を下部に有しており、前記ブラケット７の底部８には、前記突起片１，２，３を嵌入する凹部９，１０，１１が形成されており、前記突起片１，２，３を前記ブラケット７の凹部９，１０，１１に嵌入した状態で、手摺６を取り付けたブラケット７がベースプレート６によって保持されるようにした。【選択図】  図１
2008190135.tif 000002
【特許請求の範囲】
【請求項１】
壁面に固定されるベースプレートと、このベースプレート上に取り付けられ手摺を保持したブラケットとを備えた手摺用ブラケットの取付構造であって、
前記ベースプレートは、このベースプレートの表面から突出した突起片を下部に有しており、
前記ブラケットの底部には、前記各突起片を嵌入する凹部が形成されており、
前記突起片を前記ブラケットの凹部に嵌入した状態で、手摺を取り付けたブラケットがベースプレートによって保持されるようにしたことを特徴とする手摺用ブラケットの取付構造。
【請求項２】
前記突起片は、少なくとも、三角形の３つの頂点に相当する位置にそれぞれ形成された突起片（１，２，３）を含む請求項１に記載の手摺用ブラケットの取付構造。
【請求項３】
壁面に固定されるベースプレートと、このベースプレート上に取り付けられ手摺端部を保持したエンドブラケットとを備えた手摺用ブラケットの取付構造であって、
前記ベースプレートの少なくとも下部には、このベースプレートの表面から突出する突起片が形成されており、
前記エンドブラケットの底部には、前記突起片が嵌入する凹部が形成されており、
前記突起片を前記ブラケットの凹部に嵌入した状態で、手摺を取り付けたエンドブラケットがベースプレートによって保持されるようにしたことを特徴とする手摺用ブラケットの取付構造。
【請求項４】
前記ベースプレートの上部および下部にそれぞれ突起片が形成されている請求項2に記載の手摺用ブラケットの取付構造。
【請求項５】
手摺端部のエンドブラケットの壁面への取り付けに請求項３または４の手摺用ブラケットの取付構造を適用し、手摺端部を除く部位の手摺に取り付けられるブラケットの壁面への取り付けに請求項１または２の手摺用ブラケットの取付構造を適用することを特徴とする手摺用ブラケットの取付構造。
【請求項６】
前記突起片は、手摺の長手方向に略平行な方向に長いプレート状突起片である請求項1〜５のいずれかに記載の手摺用ブラケットの取付構造。
【請求項７】
前記ベースプレートには、ブラケット接続用ねじと螺合するねじ孔と、ベースプレートの壁面固定用ねじの頭部係止孔とが形成されており、前記ブラケットの底部には、前記ベースプレートの前記ねじ孔と壁面固定用ねじの頭部係止との対応する位置にそれぞれブラケット接続用ねじの頭部係止孔と、ベースプレートの壁面固定用ねじ頭部が挿通するねじ挿通孔とが形成されている請求項1〜６のいずれかに記載の手摺用ブラケットの取付構造。
【請求項８】
前記凹部が切欠孔である請求項1〜７のいずれかに記載の手摺用ブラケットの取付構造。
【発明の詳細な説明】
【技術分野】
【０００１】
本発明は、建造物の階段や廊下等の壁面に手摺を取り付けるための手摺用ブラケットの取付構造に関する。
【背景技術】
【０００２】
手摺りを壁面に取り付けるには、一般にブラケットが使用される。すなわち、ブラケットは基部が壁面にねじ止めなどにより固定され、ブラケット先端の手摺取り付け部に手摺が取り付けられる。
【０００３】
手摺の取り付け作業では、通常、クロス等の壁紙を貼る前の壁面に手摺を取り付け、ついで手摺を取り外して壁紙を貼りつけ、再び手摺を壁面に取り付けるという作業を要する。これは、壁面施工および手摺の取り付けを行う作業者と、壁紙を貼る作業者とが異なり、これらの作業者の作業日が異なるためである。
【０００４】
そのため、壁紙施工後に再び手摺をブラケットと共に壁面に取り付ける際には、簡単にかつ確実にもとの位置に手摺を取り付けられることが必要になる。特許文献１には、位置決め部材が壁材に取り付けられ、この位置決め部材が露出するように壁材に壁紙が貼り付けられており、この位置決め部材に手摺ブラケットが取り付けられている。
【０００５】
また、特許文献２は、位置決め部材が露出するように壁紙をカットすることなく、手摺ブラケットの取り付けができるように、位置決め部材（台座）に形成した隆起もしくは窪みを壁に貼り付けた壁紙の上から確かめながら、貼付後の壁紙で隠れている台座の位置を壁に貼り付けた壁紙の上から確認し、この台座の隆起もしくは窪みに向けて、ブラケットの取付座に形成されている窪みもしくは隆起物を押し付けるようにすることが提案されている。
【０００６】
【特許文献１】特開２００２−８１１８３号公報
【特許文献２】特開２００４−３２４２３１号公報
【発明の開示】
【発明が解決しようとする課題】
【０００７】
手摺を壁面に取り付ける場合、手摺は一般に長く且つ比較的重いために、複数の作業者が手摺を支えながら位置決めを行い、ボルト締めなどの作業を行うことを要する。
しかしながら、省力化の上からは、少ない作業者で簡単に手摺を取り付けられることが望ましい。
【０００８】
従って、本発明の課題は、手摺の取り付けおよび取り外しに際して、手摺を仮保持できる機構を備えた手摺用ブラケットの取付構造を提供することである。
【課題を解決するための手段】
【０００９】
上記課題を解決するための本発明の手摺用ブラケットの取付構造は、以下の構成からなる。
（１）壁面に固定されるベースプレートと、このベースプレート上に取り付けられ手摺を保持したブラケットとを備えた手摺用ブラケットの取付構造であって、前記ベースプレートは、このベースプレートの表面から突出した突起片を下部に有しており、前記ブラケットの底部には、前記各突起片を嵌入する凹部が形成されており、前記突起片を前記ブラケットの凹部に嵌入した状態で、手摺を取り付けたブラケットがベースプレートによって保持されるようにしたことを特徴とする手摺用ブラケットの取付構造。
（２）前記突起片は、少なくとも、三角形の３つの頂点に相当する位置にそれぞれ形成された突起片（１，２，３）を含む請求項１に記載の手摺用ブラケットの取付構造。
（３）壁面に固定されるベースプレートと、このベースプレート上に取り付けられ手摺端部を保持したエンドブラケットとを備えた手摺用ブラケットの取付構造であって、前記ベースプレートは、このベースプレートの表面から突出する突起片が形成されており、前記エンドブラケットの底部には前記突起片が嵌入する凹部が形成されており、前記突起片を前記ブラケットの凹部に嵌入された状態で、手摺を取り付けたエンドブラケットがベースプレートによって保持されるようにしたことを特徴とする手摺用ブラケットの取付構造。
（４）前記ベースプレートの上部および下部にそれぞれ突起片が形成されている請求項2に記載の手摺用ブラケットの取付構造。
（５）手摺端部のエンドブラケットの壁面への取り付けに（３）または（４）に記載の手摺用ブラケットの取付構造を適用し、手摺端部を除く部位の手摺に取り付けられるブラケットの壁面への取り付けに（１）または（２）に記載の手摺用ブラケットの取付構造を適用することを特徴とする手摺用ブラケットの取付構造。
（６）前記突起片は、手摺の長手方向に略平行な方向に長いプレート状突起片である（１）〜（５）のいずれかに記載の手摺用ブラケットの取付構造。
（７）前記ベースプレートには、ブラケット接続用ねじと螺合するのねじ孔と、ベースプレートの壁面固定用ねじの頭部係止孔とが形成されており、前記ブラケットの底部には、前記ベースプレートの前記ねじ孔と壁面固定用ねじの頭部係止との対応する位置にそれぞれブラケット接続用ねじの頭部係止孔と、ベースプレートの壁面固定用ねじ頭部が挿通するねじ挿通孔とが形成されている（１）〜（６）のいずれかに記載の手摺用ブラケットの取付構造。
（８）前記凹部が切欠孔である（１）〜（７）のいずれかに記載の手摺用ブラケットの取付構造。
【発明の効果】
【００１０】
上記（１）、（２）の手摺用ブラケットの取付構造によれば、壁に取り付けたベースプレートの下部に突起片を設け、この突起片でブラケットを支えるようにしたので、ブラケットをベースプレートを介して壁に固定する作業にあたって、手摺を取り付けたブラケットを安定にかつ確実に支えることができるので、手摺取り付け作業の省力化を図ることができ、作業効率が向上するという効果がある。
上記（３）、（４）の手摺用ブラケットの取付構造によれば、手摺の端部に取り付けるエンドブラケットに対しても、ベースプレートの上部および下部に形成した突起片のうち、下部の突起片でエンドブラケットを支えるようにしたので、上記（１）と同様の効果がある。また、突起片はベースプレートの上部および下部に形成されているので、手摺の両端部のいずれにも適用することができ、エンドブラケットの共通化と部品点数の削減を図ることができ、経済的である。
特に上記（１）または（２）と、（３）または（４）とを組み合わせると、より一層作業効率の向上を図ることができる。
【発明を実施するための最良の形態】
【００１１】
＜第１の実施形態＞
本発明の第１の実施形態に係る手摺用ブラケットの取付構造を図１〜８に示す。図１は当該実施形態の概念図である。
【００１２】
図１に示すように、この実施形態に係る手摺用ブラケットの取付構造は、壁面４に固定されるベースプレート５と、このベースプレート５上に取り付けられ手摺６を保持したブラケット７とを備える。ベースプレート５は、その表面から突出した突起片１，２，３を下部に有している。一方、ブラケット７の底部にはベースプレート５を嵌入するベースプレート嵌入凹部８には、前記各突起片１，２，３を嵌入する凹部９，１０，１１が形成されている。ブラケット7の取付ブラケット７２にはカバー１９が装着され、ベースプレート５およびブラケット7の取付ブラケット７２をカバー１９によって被覆している。
【００１３】
図２（ａ）〜（ｃ）は、ベースプレート５を示す側面図、平面図および正面図である。このベースプレート５は板状で構成され、下端部に表面にほぼ垂直に３つの突起片１，２，３を折曲して形成している。これらの突起片１，２，３は、図２（ｂ）に示すように、三角形の３つの頂点に相当する位置にそれぞれ形成されている。また、各突起片１，２，３は、図２（ｂ）、（ｃ）に示すように、横方向（すなわち手摺６の長手方向に平行な方向）に長いプレート状で形成されている。これにより、ブラケット７の保持面積を多くして、より安定な保持を可能にしている。
また、ベースプレート５には、対角方向にそれぞれ皿ビス用ねじ孔１２と木ねじ１４の頭部係止孔１３とが形成されている。
【００１４】
図３（ａ）〜（ｃ）はそれぞれブラケット７を示す側面図、平面図および底面図、図４はこのブラケット７の縦断面図である。このブラケット７は手摺６を先端に取り付けるアーム部７１とその基端部に設けられた取付部７２とからなる。取付部７２の底部８（より詳しくはベースプレート収容凹部）には、図３（ｃ）および図４に示すように、アーム部７１内部の空洞を利用した凹部１０が形成されている。
また、図３（ｂ）、（ｃ）、図５および図６に示すように、凹部１０よりも下側で凹部１０の両側にも凹部９,１１が形成されている。この凹部９,１１は切欠孔である。そして、図３（ｃ）および図４に示すように、凹部９，１０，１１によって囲まれた領域は補強のために厚肉部１５となっている。
【００１５】
また、ベースプレート底部８（ベースプレート収容凹部）には、ベースプレートの皿ビス用孔１２と木ねじ用孔１３との対応する位置にそれぞれ皿ビス１６の頭部が係止する孔１７（皿ビス頭部係止孔）と木ねじ挿通孔１８とが形成されている。木ねじ挿通孔１８は木ねじ１４の頭部１４ａよりも大きい開口径を有する。
【００１６】
この実施形態において、手摺６を壁面４に取り付けるには、まず皿ビス１６によってブラケット７の底部に接合されたベースプレート５を壁面4の所定の位置に配置し、木ねじ挿通孔１８を挿通した木ねじ１４にて壁面４に取り付ける。
【００１７】
次に、壁面４に壁紙を貼りつけるにあたっては、まず皿ビス１６を外して、手摺６を取付けたブラケット７をベースプレート５から取り外し、ついで壁面４に壁紙を貼りつける。このとき、ベースプレート５は壁紙で覆い隠されている。
壁紙を貼りつけた後、手摺６を元の位置に取り付けるには、まず壁紙の一部をカットしてベースプレート５の突起片１，２，３を壁紙から露出させる。そして、前記したように取り外したブラケット７を持って、ブラケット７の底部の凹部９，１０，１１に突起片１，２，３を嵌入させる。この嵌入状態を図７に示す。
これにより、ブラケット７は、所謂てこの原理により、ベースプレート５によって保持されるようになる。  
【００１８】
しかるのち、皿ビス１６にてブラケット7をベースプレート５に固定する。このとき、ブラケット７はベースプレート５によって安定に且つ確実に保持されているので、他の作業者が手摺６を保持しておく必要がないので、少ない作業員で効率よく手摺６の取り付けを行うことができる。
最後に、図８に示すカバー体１９を取付ブラケット７２の表面に装着して、手摺用ブラケット７の取り付けを完了する。
【００１９】
＜第２の実施形態＞
本発明の第２の実施形態を図９〜１２に示す。この実施形態は、手摺端部に取り付けられるエンドブラケットの取付構造に関する。
【００２０】
図９(a)、（ｂ）、（ｃ）は、この実施形態に係るベースプレート２１を示す平面図、側面図および正面図である。同図に示すように、このベースプレート２１はそのプレート体２１ａの上部および下部（すなわち手摺６の長手方向に直交する上部および下部）に、該プレート体２１ａの表面から突出する突起片２２，２３がそれぞれ形成されている。これらの突起片２２，２３は、プレート体２１ａの一部を折曲して形成したものであって、手摺６の長手方向に長いＴ時状で構成されているが（図９（ｃ）を参照）、単に手摺６の長手方向に長いプレート状であってもよい。手摺６の長手方向に長くしているのは、図１０に示すエンドブラケット２６を保持するのに充分な強度を付与するためである。
【００２１】
また、プレート体２１ａには、その対角方向にそれぞれ一対のねじ孔２４と木ねじ頭部係止孔２５とが形成されている。また、２７はプレート体２１ａの中央に設けた切欠き孔である。
【００２２】
図１０(ａ)、（ｂ）はエンドブラケット２６を示す側面図および底面図である。図１１はこのエンドブラケット２６の縦断面図である。エンドブラケット２６の前面上部には、手摺６の端部をねじ止めなどで取り付けるための凹部２８が形成されている。また、エンドブラケット２６の傾斜した背面には開口部２９が形成されており、内部は空洞になっている。
【００２３】
エンドブラケット２６の底部２６a（ベースプレート収容凹部）には、図１０（ｂ）に示すように、前記したベースプレート２１の上下突起片２２，２３が嵌入する凹部３３，３４が形成されている。凹部３３，３４はエンドブラケット２６の底部に設けた切欠き孔であってもよい。
【００２４】
また。前記したベースプレート２１のねじ孔２４と木ねじ用孔２５との対応する位置に、それぞれねじの頭部係止孔３１と、木ねじの頭部が挿通するねじ挿通孔３２とが形成されている。
【００２５】
この実施形態において、手摺6を壁面に取り付けるには、まず皿ビスなどのブラケット接続用ねじによってエンドブラケット２６の底部に接合されたベースプレート２１を壁面の所定の位置に配置し、木ねじ挿通孔３２を挿通した木ねじにて壁面に固定する。
【００２６】
次に、壁面に壁紙を貼りつけるにあたっては、まずブラケット接続用ねじを取り外して、手摺6を取付けたエンドブラケット２６をベースプレート２１から取り外した後、壁面に壁紙を貼りつける。このとき、ベースプレート２１は壁紙で覆い隠されている。
壁紙を貼りつけた後、手摺6を元の位置に取り付けるには、まず壁紙をカットしてベースプレート２１の突起片２２，２３を壁紙から露出させる。そして、取り外したエンドブラケット２６を持って、このブラケット２６の底部の凹部３３，３４に突起片２２，２３を嵌入させる。この嵌入状態を図12に示す。
【００２７】
このとき、エンドブラケット２６は、主としてベースプレート２１の下部突起片２２によって、所謂てこの原理により保持されるようになる。従って、ベースプレート２１には下部突起片２２のみを設けるだけでもよいが、上部および下部の突起片２２，２３によって、より安定した確実な保持が可能となる。また、上部および下部に突起片２２，２３を形成することによって手摺6の両端に１種類のエンドブラケット２６を使用することができるので、部品点数の軽減にもなる。
【００２８】
エンドブラケット２６をベースプレート２１に保持させたのち、ブラケット接続用ねじにてエンドブラケット２６をベースプレート２１に固定する。このとき、エンドブラケット２６はベースプレート２１によって安定に且つ確実に保持されているので、他の作業者が手摺6を保持しておく必要がなく、従って、少ない作業者で効率よく手摺６の取り付けを行うことができる。
最後に、エンドブラケット２６の背面の開口部２９にカバー体を取付け、エンドブラケット２６の取り付けを完了する。
【００２９】
以上、本発明の好ましい実施形態を説明したが、本発明は以上の実施形態に限定されるものではなく、特許請求の範囲に記載した範囲内において種々の改善や変更が可能である。例えば、本発明においては、手摺端部のエンドブラケットの壁面への取り付けには、第２の実施形態を適用し、手摺端部を除く部位で手摺に取り付けるブラケットには第１の実施形態を適用するのが好ましいが、これに限定されるものではない。
【図面の簡単な説明】
【００３０】
【図１】本発明の第１の実施形態に係る手摺用ブラケットの取付構造を示す概念図である。
【図２】（ａ）〜（ｃ）はそれぞれ第１の実施形態におけるベースプレートを示す側面図、平面図および正面図である。
【図３】（ａ）〜（ｃ）はそれぞれ第１の実施形態におけるブラケットを示す側面図、平面図および底面図である。
【図４】第１の実施形態におけるブラケットの縦断面図である。
【図５】図３（ａ）のＶ-Ｖ線断面図である。
【図６】図３（ｂ）のＶＩ-ＶＩ線断面図である。
【図７】第１の実施形態におけるベースプレートによるブラケットの保持状態を示す説明図である。
【図８】第１の実施形態におけるブラケットのカバー体平面図および断面図である
【図９】（ａ）〜（ｃ）はそれぞれ第２の実施形態におけるベースプレートを示す平面図、側面図および正面図である。
【図１０】（ａ）および（ｂ）はそれぞれ第２の実施形態におけるブラケットを示す側面図および底面図である。
【図１１】第２の実施形態におけるブラケットの縦断面図である。
【図１２】第２の実施形態におけるベースプレートによるブラケットの保持状態を示す説明図である。
【符号の説明】
【００３１】
１，２，３・・・突起片、４・・・壁面、５・・・ベースプレート、６・・・手摺、７・・・ブラケット、８・・・底部、９，１０，１１・・・凹部、１２・・・皿ビス用ねじ孔、１３・・・木ねじ頭部係止孔、１４・・・木ねじ、１６・・・皿ビス、１７・・・皿ビス頭部係止孔、１８・・・木ねじ挿通孔、１９・・・カバー体、２１・・・ベースプレート、２２，２３・・・突起片、２４・・・ねじ孔、２５・・・木ねじ頭部係止孔、２６・・・エンドブラケット、３１・・・ねじ頭部係止孔、３２・・・木ねじ挿通孔、３３，３４・・・凹部、３５・・・カバー体
【図１】
2008190135.tif 000003
【図２】
2008190135.tif 000004
【図３】
2008190135.tif 000005
【図４】
2008190135.tif 000006
【図５】
2008190135.tif 000007
【図６】
2008190135.tif 000008
【図７】
2008190135.tif 000009
【図８】
2008190135.tif 000010
【図９】
2008190135.tif 000011
【図１０】
2008190135.tif 000012
【図１１】
2008190135.tif 000013
【図１２】
2008190135.tif 000014